(57)【要約】【課題】多数のカード類を整然と収納でき、カード類の出入れが容易に且つスムーズに行え、操作性が良く、取扱いが簡単で、使い勝手に優れ、構成自体が極めて簡素で、コンパクトに構成でき、収納ケースに組立て容易で、量産に適し、低コスト化が図れ、経済的なカード類の収納構造を提供する。【解決手段】一方の基板部１と他方の基板部２を、底部がわに設けた連設部３で連設し、連設部３がわが支点となって一対の基板部１、２相互が離隔接近自在となるよう揺動する収納基部Ａを形成し、複数の差込孔５を適宜間隔で並設した保持部Ｂを形成し、保持部Ｂの両端部分を、前記一対の基板部１、２の上部がわに夫々固定し、保持部Ｂは、一対の基板部１、２の揺動動作に連繋して、略中央の折曲部が連設部３に接近するような二つ折状態から展開状態の間で変形自在となるよう構成する。【選択図】    図１
2004298388.tif 000002
【特許請求の範囲】
【請求項１】
複数の適宜カード類等を収容保持可能なカード類の収納構造であって、一方の基板部と他方の基板部を、底部がわに設けた連設部で連設し、この連設部がわが支点となって一対の基板部相互が離隔接近自在となるように揺動する収納基部を形成し、カード類が差込自在となる複数の差込孔を適宜間隔で並設せしめた保持部を形成し、この保持部の差込孔の並設方向にある両端部分を、前記収納基部の一対の基板部の上部がわに夫々固定し、保持部は、一対の基板部の揺動動作に連繋して、略中央の折曲部が連設部に接近するような二つ折状態から展開状態の間で変形自在となるように構成したことを特徴とするカード類の収納構造。
【請求項２】
前記差込孔を、両端の円孔と、この両端の円孔の中心を結ぶようなスリットと、両端の円孔に外接するような一対の平行な折筋とで構成したことを特徴とする請求項１記載のカード類の収納構造。
【請求項３】
一方の基板部と他方の基板部の左右側部に、一対の基板部の揺動動作に連繋して折畳み展開自在となると共に、保持部に干渉しないように形成される側片を設けたことを特徴とする請求項１または請求項２記載のカード類の収納構造。
【発明の詳細な説明】
【０００１】
【発明の属する技術分野】
本発明は、例えば、クレジットカード、キャッシュカード、メンバーズカード、免許証、テレホンカード、その他プリペイドカード等の各種カード類や、カード状の形態を呈する適宜物品や、その他の適宜収納物等を多数収納することができ、しかも、これらを整然と収納できると共に、これらの出入れがより容易に行え、操作性に優れ、取扱いが簡単で、コンパクトに構成でき、その構成自体が極めて簡素で、低廉に提供できるように工夫したカード類の収納構造に関するものである。
【０００２】
【従来の技術】
従来、クレジットカードや、キャッシュカード等のカード類を複数収容しておける収納ケース（例えば、財布等）にあっては、例えば、複数のポケット部を上下にズラせた状態（多段状）に設け、カード類の一部（例えば、上部）が夫々露出した状態でポケット部内に収容せしめるように構成したものが数多く提供されている。
また、従来のカード類の収納ケースにあっては、例えば、特許文献１に示されているように、収納ケースの本体部分内に適宜仕切片を複数設けたものが数多く提供されている。
【０００３】
【特許文献１】
特開平７−３０８２１６号公報（図１、図３）
【０００４】
【発明が解決しようとする課題】
ところが、複数のポケット部を上下にズラせたものは、その一部が露出した多段状にカード類が収容されるので、収容できるカード類の枚数を増やすと、収容部分を合せた面積が大きくなり、コンパクトに構成し難い難点等があった。しかも、多段状のカード類は相互に接近した状態となっており、露出しているカード類の一部を手指で摘み難く、所望カード類の取出しがスムーズに行い難い等の難点もあった。
また、収納ケースの本体部分内に適宜仕切片を複数設けたものは、収納ケース全体の厚みがかなり厚くなってしまい、コンパクトに構成し難い難点等があった。しかも、その構成が複雑となり、コスト高となる等の難点もあった。
【０００５】
【課題を解決するための手段】
そこで、本発明は、前述の如き難点等を解消して、多数のカード類を整然と収納することができ、操作性が良くなり、取扱いが簡単で、使い勝手に優れ、カード類の出入れがより容易に且つスムーズに行えるようになり、しかも、その構成自体が極めて簡素で、コンパクトに構成できるようになり、収納ケースに組立て容易となり、量産に適し、低コスト化が図れ、経済的なカード類の収納構造を提供すべく創出されたものである。
【０００６】
しかして、請求項１記載の収納構造にあっては、複数の適宜カード類Ｃ等を収容保持可能なカード類の収納構造であって、一方の基板部１と他方の基板部２を、底部がわに設けた連設部３で連設し、この連設部３がわが支点となって一対の基板部１、２相互が離隔接近自在となるように揺動する収納基部Ａを形成し、カード類Ｃが差込自在となる複数の差込孔５を適宜間隔で並設せしめた保持部Ｂを形成し、この保持部Ｂの差込孔５の並設方向にある両端部分を、前記収納基部Ａの一対の基板部１、２の上部がわに夫々固定し、保持部Ｂは、一対の基板部１、２の揺動動作に連繋して、略中央の折曲部が連設部３に接近するような二つ折状態から展開状態の間で変形自在となるように構成する手段を採用した。
【０００７】
また、請求項２記載の収納構造にあっては、前記差込孔５を、両端の円孔６と、この両端の円孔６の中心を結ぶようなスリット７と、両端の円孔６に外接するような一対の平行な折筋８とで構成する手段を採用した。
【０００８】
更に、請求項３記載の収納構造にあっては、一方の基板部１と他方の基板部２の左右側部に、一対の基板部１、２の揺動動作に連繋して折畳み展開自在となると共に、保持部Ｂに干渉しないように形成される側片９を設ける手段を採用した。
【０００９】
【発明の実施の形態】
以下、本発明を図示例に基づいて説明する。
本発明は、例えば、クレジットカード、キャッシュカード、メンバーズカード、テレホンカード、その他プリペイドカード等のように略矩形薄板状（或いは、矩形以外の薄板状でも良い）を呈する各種カードや、各種チケット類や、免許証、車検証、保険証、パスポート等の各種証明書類や、カード状の形態を呈する適宜物品や、その他の適宜収納物等を含むカード類Ｃを、複数（多数）収納することができると共に、これらを整然と収納でき、また、これらの出入れがより容易に且つスムーズに行え、しかも、その操作性が良くなるようにしたカード類の収納構造に係り、そして、このカード類の収納構造は、例えば、財布や、定期入れや、システム手帳や、その他の適宜収納ケース等に簡単に設けられるようにしたものである。
【００１０】
更に、本発明のカード類の収納構造は、一方の基板部１と他方の基板部２を、底部がわに設けた連設部３で連設し、この連設部３がわが支点となって一対の基板部１、２相互が離隔接近自在となるように揺動する収納基部Ａと、カード類Ｃが差込自在となる複数の差込孔５が適宜間隔で並設されていると共に、差込孔５の並設方向にある両端部分が、前記収納基部Ａの一対の基板部１、２の上部がわに夫々固定される保持部Ｂとを備えている。
【００１１】
しかも、前記保持部Ｂは、一対の基板部１、２の揺動動作に連繋して、略中央の折曲部が連設部３に接近するような二つ折状態（図３参照）となったり、或いは、平面的な展開状態となったり、或いは、略中央の折曲部が適宜角度のＶ状となるような展開状態（図２参照）となったり、自由に変形できるように構成されている。
【００１２】
すなわち、連設部３がわが支点となって一対の基板部１、２相互を揺動せしめて、保持部Ｂを展開状態としたときには、差込孔５に差込まれている複数のカード類Ｃは、その下部が連設部３部分に当接し、この連設部３部分を中心とするような放射方向に夫々沿うよう均等に配されて、隣設するカード類Ｃ相互の上部の間隔が大きく開くように構成されている。一方、保持部Ｂを二つ折状態としたときには、差込孔５に差込まれている複数のカード類Ｃは、相互に接近した状態となり、全体の厚みが薄くなって嵩張らないよう構成されている。
【００１３】
そして、前記収納基部Ａは、例えば、略矩形板状の一対の基板部１、２の底部がわを、可撓性を有する湾曲状の連設部３で一体的（或いは、一体的でなくても良い）に連設して構成され、連設部３がヒンジ部となって一対の基板部１、２が揺動して、その上部が大きく開閉するように構成されている。しかも、収納基部Ａの揺動動作は、一対の基板部１、２が略９０度程度の角度まで開くように形成してあれば良い。
尚、収納基部Ａは、その外表面部分或いは全体を皮革（或いは、人工皮革）で構成して、高級感が醸し出せるようにしても良いし、適宜紙材や、適宜合成樹脂材や、適宜金属材や、これらの適宜複合材等によって構成することができるものである。
【００１４】
また、前記保持部Ｂは、例えば、その略中央の折曲部で二つ折可能となるような可撓性を備えた適宜材料によって略矩形シート状に形成され、差込孔５の並設方向にある両端部分を、前記収納基部Ａの一対の基板部１、２の上部がわに夫々固定（例えば、接着手段、縫着手段、その他）できるように構成されている。
尚、保持部Ｂは、皮革（或いは、人工皮革）で構成して、高級感が醸し出せるようにしても良いし、適宜紙材や、適宜合成樹脂材や、適宜金属材や、これらの適宜複合材等によって構成することもできる。
更に、前記保持部Ｂは、例えば、比較的柔軟な材料によって構成して、カード類Ｃ自体の損傷を防止できるようにしても良い。
【００１５】
前記基板部１、２は、例えば、図１、図７に示すように、収納ケース（カードケース）の一対の外側板で構成したり、或いは、図６に示すように、収納ケース（カードケース、財布）の一方の外側板と、一対の外側板の間に配される仕切板とで構成したりすることができる。
【００１６】
また、前記連設部３は、例えば、図１、図７に示すように、収納ケース（カードケース）の一対の外側板を一体的に連設する底部で構成したり、或いは、図６に示すように、収納ケース（カードケース、財布）の一方の外側板と仕切板とを結ぶような底部で構成したりすることができる。
【００１７】
差込孔５は、例えば、細長円孔状に形成したものであっても良いし、或いは、図４、図５に示すように、前記差込孔５を、両端の円孔６と、この両端の円孔６の中心を結ぶようなスリット７と、両端の円孔６に外接するような一対の平行な折筋８とで構成したものであっても良いし、その他適宜構成、形状、寸法に、設定、変更できるものである。
また、スリット７と折筋８との間の部分を、略Ｖ字状に予め傾斜させておき、カード類Ｃの差込孔５への差込みがより簡単に且つスムーズに行えるように構成しても良い。
【００１８】
尚、図中９は、一方の基板部１と他方の基板部２の左右側部に設けられる左右側片を示し、この側片９は、一対の基板部１、２の揺動動作に連繋して折畳み展開自在となるよう形成されると共に、二つ折状態から展開状態の間で変形する保持部Ｂに干渉しないように形成されている。
また、側片９は、例えば、略三角シート状を呈し、一対の基板部１、２の下部がわ（或いは、一対の基板部１、２の下部がわ及び連設部３）に固定（接着手段、縫着手段、或いは、その他の手段を採用できる）されている。
しかも、側片９の中央部分には、適宜折畳み部を設けてあり、一対の基板部１、２の揺動動作に連繋してスムーズに折畳み展開できるよう形成されている。
すなわち、側片９は、収納構造（収納ケース）の外観上の体裁を良くすると共に、差込孔５に差込まれたカード類Ｃの下部が、収納基部Ａの左右方向に大きく移動するのを確実に防止できるように構成されている。
更に、側片９は、皮革（或いは、人工皮革）で構成して、高級感が醸し出せるようにしても良いし、適宜紙材や、適宜合成樹脂材や、適宜金属材や、これらの適宜複合材等によって構成することもできる。
【００１９】
ところで、図中１０は、収納ケースの蓋部で、この蓋部１０は、他方の外側板（基板部２）の上部に連設されており、収納基部Ａの上部開放部分を塞いで、収納されている複数のカード類Ｃの逸脱を防止するものである。
また、図中１１は、収納ケースの一方の外側板（基板部１）と前記蓋部１０に夫々固定されると共に、相互に係脱自在となるように構成される止具で、この止具１１の係止状態によって、収納基部Ａの上部開放部分を蓋部１０で塞いだ状態を確実に維持できるよう構成されている。
更に、図中１２は、収納ケースの一対の外側板の周縁に装着されるファスナーで、このファスナー１２によって、収納基部Ａの上部及び側部の開放部分が塞がれた状態を確実に維持できるよう構成されている。
【００２０】
ところで、収納基部Ａの具体的構成、形状、寸法、材質、基板部１、２の具体的構成、形状、寸法、材質、配設位置、連設部３の具体的構成、形状、寸法、材質、保持部Ｂの具体的構成、形状、寸法、材質、差込孔５の具体的構成、形状、寸法、数、配設位置、円孔６の具体的形状、寸法、配設位置、スリット７の具体的構成、形状、寸法、配設位置、折筋８の具体的構成、形状、寸法、配設位置、側片９の具体的構成、形状、寸法、材質、配設位置、収納構造が設けられる収納ケースの具体的構成、形状、寸法、材質、蓋部１０の具体的構成、形状、寸法、材質、止具１１の具体的構成、形状、寸法、材質、配設位置、ファスナー１２の具体的構成、形状、寸法、配設位置等は、図示例のもの等に限定されることなく適宜自由に設定、変更できるものである。
【００２１】
本発明の収納構造は、前述の如く構成されており、次に、その使用例について説明すると、先ず、収納構造内のカード類Ｃを取出す場合は、一対の基板部１、２を連設部３がわが支点となるように揺動させる（収納基部Ａの上部開放部分を大きく開く）。すると、保持部Ｂの略中央の折曲部が上方に移動すると共に、二つ折状態だった保持部Ｂが展開状態となり、更に、差込孔５に差込まれていた複数のカード類Ｃは、保持部Ｂの変形によって、連設部３部分を中心とするような放射方向に夫々沿うよう略均等に配されて、隣設するカード類Ｃ相互の上部の間隔が大きく開くような状態となる。それから、所望のカード類Ｃを手指で摘んで取出す。このとき、側片９は、展開状態となっている。
【００２２】
また、カード類Ｃを収納する場合は、差込孔５にカード類Ｃを差込み、一対の基板部１、２相互が接近するように揺動させる（収納基部Ａの上部開放部分を閉じるようにする）。すると、保持部Ｂの略中央の折曲部が下方に移動すると共に、展開状態だった保持部Ｂが二つ折状態となり、更に、差込孔５に差込まれていた複数のカード類Ｃは、相互に接近した状態となって保持される。このとき、側片９は、嵩張らないような折畳み状態となっている。
【００２３】
【発明の効果】
従って、本発明の請求項１は、複数の適宜カード類Ｃ等を収容保持可能なカード類の収納構造であって、一方の基板部１と他方の基板部２を、底部がわに設けた連設部３で連設し、この連設部３がわが支点となって一対の基板部１、２相互が離隔接近自在となるように揺動する収納基部Ａを形成し、カード類Ｃが差込自在となる複数の差込孔５を適宜間隔で並設せしめた保持部Ｂを形成し、この保持部Ｂの差込孔５の並設方向にある両端部分を、前記収納基部Ａの一対の基板部１、２の上部がわに夫々固定し、保持部Ｂは、一対の基板部１、２の揺動動作に連繋して、略中央の折曲部が連設部３に接近するような二つ折状態から展開状態の間で変形自在となるように構成したので、多数のカード類Ｃを整然と収納することができるようになる。しかも、構成自体が極めて簡素で、コンパクトに構成できるようになり、収納ケースに組立て容易となり、量産に適し、低コスト化が図れ、経済的なカード類の収納構造となる。
【００２４】
特に、連設部３がわが支点となって一対の基板部１、２相互を揺動せしめるだけで、保持部Ｂが二つ折状態から展開状態の間で変形自在となり、そして、保持部Ｂが展開状態のときは、差込孔５に差込まれている複数のカード類Ｃが、連設部３部分を中心とするような放射方向に沿うよう配されるようになり、カード類Ｃ相互の上部の間隔が大きく開くようになり、手指で所望のカード類Ｃを摘み易くなり、カード類Ｃの出入れが、他のカード類Ｃに邪魔されることなくより容易に且つスムーズに行えるようになる。すなわち、操作性が良く、取扱いが簡単で、使い勝手に優れたカード類の収納構造となる。
加えて、保持部Ｂが二つ折状態のときは、差込孔５に差込まれている複数のカード類Ｃが相互に接近するようになって、全体の厚みが薄くなり、しかも、差込孔５に差込まれている複数のカード類Ｃが、ズレたりせず、確実に且つ安定的に保持できるようになる。
【００２５】
また、本発明の請求項２は、前記差込孔５を、両端の円孔６と、この両端の円孔６の中心を結ぶようなスリット７と、両端の円孔６に外接するような一対の平行な折筋８とで構成したので、カード類Ｃが差込孔５にスムーズに差込み、取出し可能となると共に、差込み状態のときに、薄いカード類Ｃでも簡単に抜け落ちるようなことのないものとなる。
【００２６】
更に、本発明の請求項３は、一方の基板部１と他方の基板部２の左右側部に、一対の基板部１、２の揺動動作に連繋して折畳み展開自在となると共に、保持部Ｂに干渉しないように形成される側片９を設けたので、収納構造（収納ケース）の外観上の体裁が良くなると共に、差込孔５に差込まれているカード類Ｃを確実に保護できるようになる。
特に、差込孔５に差込まれているカード類Ｃが左右方向に大きく揺動するのを確実に防止できるようになると共に、カード類Ｃをより安定的に保持できるようになる。
【図面の簡単な説明】
【図１】本発明の収納構造を例示する斜視図である。
【図２】本発明の収納構造を例示する一部省略縦断側面図である。
【図３】本発明の収納構造を例示する縦断側面図である。
【図４】本発明の収納構造の差込孔を例示する部分平面図である。
【図５】本発明の収納構造の差込孔を例示する部分縦断面図である。
【図６】本発明の収納構造を備えた他の収納ケースを例示する斜視図である。
【図７】本発明の他の収納構造を例示する斜視図である。
【図８】本発明の他の収納構造を例示する一部省略縦断側面図である。
【図９】本発明の他の収納構造を例示する縦断側面図である。
【符号の説明】
Ａ      収納基部
１      基板部                        ２      基板部
３      連設部
Ｂ      保持部
５      差込孔                        ６      円孔
７      スリット                      ８      折筋
９      側片
１０    蓋部                          １１    止具
１２    ファスナー
Ｃ      カード類
【図１】
2004298388.tif 000003
【図２】
2004298388.tif 000004
【図３】
2004298388.tif 000005
【図４】
2004298388.tif 000006
【図５】
2004298388.tif 000007
【図６】
2004298388.tif 000008
【図７】
2004298388.tif 000009
【図８】
2004298388.tif 000010
【図９】
2004298388.tif 000011